(57)【要約】  本発明のユーザ端末は、ＲＲＣ（Radio  Resource  Control）コネクションのセットアップ前に、上り制御チャネルを用いて上り制御情報（ＵＣＩ）を送信する送信部と、システム情報内の所定フィールド値に基づいて、前記ＵＣＩの送信に用いられる前記上り制御チャネル用のリソースを決定する制御部と、を具備する。
2019138563.tif 000002
【特許請求の範囲】
【請求項１】
ＲＲＣ（Radio  Resource  Control）コネクションのセットアップ前に、上り制御チャネルを用いて上り制御情報（ＵＣＩ）を送信する送信部と、
システム情報内の所定フィールド値に基づいて、前記ＵＣＩの送信に用いられる前記上り制御チャネル用のリソースを決定する制御部と、
を具備することを特徴とするユーザ端末。
【請求項２】
前記制御部は、前記システム情報内の前記所定フィールド値が示す複数のリソースの中から、下り制御情報内の所定フィールド値に基づいて、前記上り制御チャネル用のリソースを決定することを特徴とする請求項１に記載のユーザ端末。
【請求項３】
前記制御部は、前記システム情報内の前記所定フィールド値が示すインデックスに基づいて、一以上のリソースを含むリソースセットを決定し、前記リソースセットの中から、下り制御情報内の所定フィールド値に基づいて、前記上り制御チャネル用のリソースを決定することを特徴とする請求項１に記載のユーザ端末。
【請求項４】
前記リソースセットは、前記インデックスから連続する所定数のインデックスを有するリソースを含むことを特徴とする請求項３に記載のユーザ端末。
【請求項５】
前記リソースセットは、前記インデックスに関連付けられる所定数のリソースを含むことを特徴とする請求項３に記載のユーザ端末。
【請求項６】
ユーザ端末において、
ＲＲＣ（Radio  Resource  Control）コネクションのセットアップ前に、上り制御チャネルを用いて上り制御情報（ＵＣＩ）を送信する工程と、
システム情報内の所定フィールド値に基づいて、前記ＵＣＩの送信に用いられる前記上り制御チャネル用のリソースを決定する工程と、
を有することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５〜、などともいう）も検討されている。【０００３】
既存のＬＴＥシステム（例えば、ＬＴＥ  Ｒｅｌ．８−１３）では、１ｍｓのサブフレーム（伝送時間間隔（ＴＴＩ：Transmission  Time  Interval）等ともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００４】
また、既存のＬＴＥシステム（例えば、ＬＴＥ  Ｒｅｌ．８−１３）では、ユーザ端末は、上り制御チャネル（例えば、ＰＵＣＣＨ：Physical  Uplink  Control  Channel）又は上り共有チャネル（例えば、ＰＵＳＣＨ：Physical  Uplink  Shared  Channel）を用いて、上り制御情報（ＵＣＩ：Uplink  Control  Information）を送信する。当該上り制御チャネルの構成（フォーマット）は、ＰＵＣＣＨフォーマット等と呼ばれる。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＬＴＥ  Ｒｅｌ．１５以降、５Ｇ、５Ｇ＋、ＮＲなど）では、ＲＲＣ（Radio  Resource  Control）コネクションのセットアップ（setup）後に上り制御チャネル（例えば、ＰＵＣＣＨ）を用いてＵＣＩを送信する場合、ＲＲＣシグナリング及び下り制御情報（ＤＣＩ）に基づいて、当該上り制御チャネル用のリソース（例えば、ＰＵＣＣＨリソース）を決定することが検討されている。【０００７】
一方、当該将来の無線通信システムでは、ＲＲＣコネクションのセットアップ前に、上り制御チャネルを用いて、ＵＣＩ（例えば、後述するランダムアクセス手順におけるメッセージ４に対するＨＡＲＱ−ＡＣＫ）を送信することが想定される。しかしながら、ＲＲＣコネクションのセットアップ前には、ＲＲＣシグナリングによる通知を行うことができない。【０００８】
したがって、ＲＲＣコネクションのセットアップ前に上り制御チャネルを用いてＵＣＩを送信する場合、ユーザ端末が、当該上り制御チャネル用のリソースをどのように決定するかが問題となる。【０００９】
本発明はかかる点に鑑みてなされたものであり、ＲＲＣコネクションのセットアップ前のＵＣＩの送信に用いられる上り制御チャネル用のリソースを適切に決定可能なユーザ端末及び無線通信方法を提供することを目的の一つとする。
【課題を解決するための手段】
【００１０】
本発明のユーザ端末の一態様は、ＲＲＣ（Radio  Resource  Control）コネクションのセットアップ前に、上り制御チャネルを用いて上り制御情報（ＵＣＩ）を送信する送信部と、システム情報内の所定フィールド値に基づいて、前記ＵＣＩの送信に用いられる前記上り制御チャネル用のリソースを決定する制御部と、を具備することを特徴とする。
【発明の効果】
【００１１】
本発明によれば、ＲＲＣコネクションのセットアップ前のＵＣＩの送信に用いられる上り制御チャネル用のリソースを適切に決定できる。
【図面の簡単な説明】
【００１２】
【図１】図１は、ＰＵＣＣＨリソース用のパラメータセットと各パラメータの取り得る値の範囲の一例を示す図である。
【図２】図２は、ＰＵＣＣＨリソース用のパラメータセットと各パラメータの取り得る値の範囲の他の例を示す図である。
【図３】図３は、第１の態様に係るＰＵＣＣＨリソースの指定の一例を示す図である。
【図４】図４は、第１の態様に係るＰＵＣＣＨリソースの指定の他の例を示す図である。
【図５】図５は、第２の態様に係るＰＵＣＣＨリソースセットの第１の決定例を示す図である。
【図６】図６Ａ及び６Ｂは、第２の態様に係るＰＵＣＣＨリソースセットの第２の決定例を示す図である。
【図７】図７Ａ及び７Ｂは、第２の態様に係るＰＵＣＣＨリソースセットの第３の決定例を示す図である。
【図８】図８は、第２の態様に係るＰＵＣＣＨリソースセットの第４の決定例を示す図である。
【図９】図９は、第２の態様に係るＰＵＣＣＨリソースセットの第５の決定例を示す図である。
【図１０】図１０は、第２の態様に係るＲＭＳＩの所定フィールド値の想定の一例を示す図である。
【図１１】図１１は、第３の態様に係るＰＵＣＣＨリソースセットの第１の決定例を示す図である。
【図１２】図１２は、第３の態様に係るＰＵＣＣＨリソースセットの第２の決定例を示す図である。
【図１３】図１３は、第３の態様に係るＰＵＣＣＨリソースセットの第３の決定例を示す図である。
【図１４】図１４は、第３の態様に係るＰＵＣＣＨリソースセットの第４の決定例を示す図である。
【図１５】図１５Ａ−１５Ｄは、第６の態様に係るＵＣＩの送信タイミングの決定に用いられるテーブルの一例を示す図である。
【図１６】本実施の形態に係る無線通信システムの概略構成の一例を示す図である。
【図１７】本実施の形態に係る無線基地局の全体構成の一例を示す図である。
【図１８】本実施の形態に係る無線基地局の機能構成の一例を示す図である。
【図１９】本実施の形態に係るユーザ端末の全体構成の一例を示す図である。
【図２０】本実施の形態に係るユーザ端末の機能構成の一例を示す図である。
【図２１】本実施の形態に係る無線基地局及びユーザ端末のハードウェア構成の一例を示す図である。
【図２２】図２２は、ＰＵＣＣＨリソース用のパラメータセットと各パラメータの取り得る値の範囲の他の例を示す図である。
【発明を実施するための形態】
【００１３】
将来の無線通信システム（例えば、ＬＴＥ  Ｒｅｌ．１５〜、５Ｇ、ＮＲなど）では、ＵＣＩの送信に用いられる上り制御チャネル（例えば、ＰＵＣＣＨ）用の構成（フォーマット、ＰＵＣＣＨフォーマット（ＰＦ）等ともいう）が検討されている。
【００１４】
当該上り制御チャネルの送信に用いられるリソース（例えば、ＰＵＣＣＨリソース）は、ＰＵＣＣＨフォーマット毎に定められている。例えば、ＲＲＣ（Radio  Resource  Control）コネクションのセットアップ（setup）後におけるＰＵＣＣＨリソースの割り当て（allocation）は、ＲＲＣシグナリング及び下り制御情報（ＤＣＩ）を用いて行われる。
【００１５】
具体的には、ＲＲＣコネクションのセットアップ後については、複数のＰＵＣＣＨリソースを含むセット（ＰＵＣＣＨリソースセット）がＲＲＣシグナリングにより無線基地局からユーザ端末に通知（設定）される。当該複数のＰＵＣＣＨリソースの一つがＤＣＩ内の所定フィールド値により指定される。ユーザ端末は、ＤＣＩ内の所定フィールド値が示すＰＵＣＣＨリソースを用いてＰＵＣＣＨを送信する。
【００１６】
図１は、ＰＵＣＣＨリソース用のパラメータセットと各パラメータの取り得る値の範囲の一例を示す図である。図１に示すように、ＰＵＣＣＨリソース用のパラメータセットは、以下の少なくとも一つのパラメータ（フィールド又は情報等ともいう）を含んでもよい。
・ＰＵＣＣＨの割り当てが開始されるシンボル（開始シンボル）
・スロット内でＰＵＣＣＨに割り当てられるシンボル数（ＰＵＣＣＨに割り当てられるっ間）
・ＰＵＣＣＨの割り当てが開始されるリソースブロック（物理リソースブロック（ＰＲＢ：Physical  Resource  Block））のインデックス
・ＰＵＣＣＨに割り当てられるＰＲＢの数
・ＰＵＣＣＨに周波数ホッピングを有効化するか否か
・周波数ホッピングが有効な場合の第２ホップの周波数リソース、初期巡回シフト（ＣＳ：Cyclic  Shift）のインデックス
・時間領域（time-domain）における直交拡散符号（例えば、ＯＣＣ：Orthogonal  Cover  Code）のインデックス、離散フーリエ変換（ＤＦＴ）前のブロック拡散に用いられるＯＣＣの長さ（ＯＣＣ長、拡散率等ともいう）
・ＤＦＴ後のブロック拡散（block-wise  spreading）に用いられるＯＣＣのインデックス
【００１７】
また、図１に示すように、各パラメータには、ＰＵＣＣＨフォーマット毎にとり得る値の範囲が定められていてもよい。ユーザ端末に設定（configure）されるＰＵＣＣＨリソースセット内の各ＰＵＣＣＨリソースは、上記パラメータセット内の少なくとも一つのパラメータを含み、各パラメータは、対応するＰＵＣＣＨフォーマットについて定められた範囲内の値をそれぞれ有してもよい。
【００１８】
ここで、図１に示されるＰＵＣＣＨフォーマット（ＰＦ）０及び１は、２ビット以下（up  to  2  bits）のＵＣＩ（例えば、送達確認情報（ＨＡＲＱ−ＡＣＫ：Hybrid  Automatic  Repeat  reQuest−Acknowledge、ＡＣＫ又はＮＡＣＫ等ともいう）の送信に用いられるＰＦである。ＰＦ０は、１又は２シンボルに割り当て可能であるため、ショートＰＵＣＣＨ又はシーケンスベース（sequence-based）ショートＰＵＣＣＨ等とも呼ばれる。一方、ＰＦ１は、４−１４シンボルに割り当て可能であるため、ロングＰＵＣＣＨ等とも呼ばれる。ＰＦ１では、ＣＳ及びＯＣＣの少なくとも一つを用いた時間領域のブロック拡散により、同一のＰＲＢ内で複数のユーザ端末が符号分割多重（ＣＤＭ）されてもよい。
【００１９】
ＰＵＣＣＨフォーマット（ＰＦ）２−４は、２ビットを超える（more  than  2  bits）ＵＣＩ（例えば、チャネル状態情報（ＣＳＩ：Channel  State  Information）（又は、ＣＳＩとＨＡＲＱ−ＡＣＫ及び／又はスケジューリング要求（ＳＲ）））の送信に用いられるＰＦである。ＰＦ２は、１又は２シンボルに割り当て可能であるため、ショートＰＵＣＣＨ等とも呼ばれる。一方、ＰＦ３、４は、４−１４シンボルに割り当て可能であるため、ロングＰＵＣＣＨ等とも呼ばれる。ＰＦ３では、ＤＦＴ前の（周波数領域）のブロック拡散を用いて複数のユーザ端末がＣＤＭされてもよい。
【００２０】
以上のように、ＲＲＣコネクションのセットアップ後においては、ＲＲＣシグナリングにより複数のＰＵＣＣＨリソースを含むＰＵＣＣＨリソースセットを準静的に設定し、ＤＣＩにより当該複数のＰＵＣＣＨリソースの一つを指定できる。
【００２１】
ところで、ＲＲＣコネクションのセットアップ前においては、ユーザ端末と無線基地局との間でランダムアクセス手順が実施される。ランダムアクセス手順は、例えば、以下の手順で行われる。
【００２２】
（１）ユーザ端末が、プリアンブル（ランダムアクセスプリアンブル、ランダムアクセスチャネル（ＰＲＡＣＨ：Physical  Random  Access  Channel）等ともいう）を送信する。
（２）無線基地局は、当該プリアンブルを検出するとランダムアクセスレスポンス（ＲＡＲ：Random  Access  Response、メッセージ２等ともいう）を送信する。
（３）ユーザ端末は、メッセージ２に含まれるタイミングアドバンス（ＴＡ）に基づいて上りの同期を確立し、ＰＵＳＣＨ用いて上位レイヤ（Ｌ２／Ｌ３）の制御メッセージ（メッセージ３）を送信する。当該制御メッセージには、ユーザ端末の識別子（例えば、Ｃ−ＲＮＴＩ（Cell-Radio  Network  Temporary  Identifier））が含まれる。
（４）無線基地局は、上位レイヤの制御メッセージに応じて、ＰＤＳＣＨを用いて、衝突解決用メッセージ（Contention  resolution  message、メッセージ４）を送信する。
（５）ユーザ端末は、ＰＵＣＣＨを用いて、当該メッセージ４のＨＡＲＱ−ＡＣＫを無線基地局に送信する。
【００２３】
このように、ＲＲＣコネクションのセットアップ前には、ＰＵＣＣＨを用いて、メッセージ４に対するＨＡＲＱ−ＡＣＫを送信することが想定される。しかしながら、ＲＲＣコネクションのセットアップ前には、ＲＲＣシグナリングによる通知を行うことができないため、当該メッセージ４に対するＨＡＲＱ−ＡＣＫの送信に用いられるＰＵＣＣＨリソースをどのように指定するかが問題となる。
【００２４】
そこで、本発明者らは、ＲＲＣコネクションのセットアップ前のＵＣＩ（例えば、メッセージ４に対するＨＡＲＱ−ＡＣＫ）の送信に用いられるＰＵＣＣＨリソースを適切に指定する方法を検討し、本発明に至った。
【００２５】
以下、本実施の形態について詳細に説明する。なお、本実施の形態では、ＲＲＣコネクションのセットアップ前のＵＣＩとして、メッセージ４に対するＨＡＲＱ−ＡＣＫを想定するが、ＵＣＩは、ＲＲＣコネクションのセットアップ前にＰＵＣＣＨを用いて送信されるどのような情報であってもよい。また、以下では、図１で説明したＰＵＣＣＨフォーマット０〜４を例示するが、ＰＦの名称は、これらに限られず、適宜名称や構成が変更されてもよい。
【００２６】
本実施の形態では、ＰＵＣＣＨリソースには、例えば、図１に例示されるパラメータセットが用いられてもよい。当該パラメータセット内の各パラメータには、図１においてＰＵＣＣＨフォーマット毎（例えば、ＰＦ０−４）に示される範囲の値がセット可能である。
【００２７】
或いは、本実施の形態では、ＰＵＣＣＨリソースには、図１に例示されるパラメータセットよりも少ない数（種類）のパラメータを含むパラメータセットが用いられてもよい。図２は、ＰＵＣＣＨリソース用のパラメータセットと各パラメータの取り得る値の範囲の他の例を示す図である。
【００２８】
ＲＲＣコネクションのセットアップ前のＵＣＩは、例えば、ＨＡＲＱ−ＡＣＫであるため、２ビット以下のＵＣＩを伝送可能なＰＵＣＣＨフォーマット（ＰＦ０，１）が想定されればよい。このため、図２に示されるパラメータセットは、ＰＦ０及びＰＦ１の少なくとも一つを送信に必要なパラメータを含まない、ＰＦ２−４のいずれかの送信に必要なパラメータ（例えば、ＤＦＴ前のＯＣＣ長、ＤＦＴ前のＯＣＣのインデックス）を含まない。
【００２９】
また、図２に示される各パラメータの取り得る値の範囲も、図１よりも制限されたＰＵＣＨフォーマットについて設定されてもよい。例えば、図２では、ＰＦ０及びＰＦ１についての各パラメータの取り得る値の範囲が示される。
【００３０】
また、図２に示される各パラメータの取り得る値の範囲は、図１よりも制限されてもよい。例えば、スロット内でＰＵＣＣＨが割り当てられるシンボル数は、ＰＦ１について４又は１４に制限されてもよい。また、ＰＵＣＣＨに割り当てられるＰＲＢの開始インデックスの値も、０、１０、ＮＭＡＸ−１１、ＮＭＡＸ−１に制限されてもよい。ここで、ＮＭＡＸは、初期（initial）アクセスのためにアクティブ化されている上り通信用のＢＷＰ（ＵＬ  ＢＷＰ：Uplink  Bandwidth  Part）（初期アクティブＵＬ  ＢＷＰ）、ＵＬ  ＢＷＰ又はユーザ端末の設定されるＢＷＰ（ＵＥ  ＢＷＰ）を構成するＰＲＢの最大数であってもよい。
【００３１】
ここで、ＢＷＰ（Bandwidth  Part）とは、キャリア（コンポーネントキャリア（ＣＣ：Component  Carrier）、セル）内に設定される部分的な周波数帯域であり、部分帯域、帯域幅部分等とも呼ばれる。ユーザ端末に対しては一以上のＢＷＰ（下り通信用のＢＷＰ（ＤＬ  ＢＷＰ）及び／又はＵＬ  ＢＷＰを含む）が設定され、少なくとも一つのＢＷＰがアクティブ化される。また、ユーザ端末の初期アクセス用に一以上のＵＬ  ＢＷＰが予め仕様で定められ、少なくとも一つがアクティブ化されてもよい。
【００３２】
また、周波数ホッピングが有効化される場合における第２ホップの周波数リソースは、開始ＰＲＢのインデックス（Ｎ１）、所定値（Ｐ）、システム情報（例えば、ＲＭＳＩ：Remaining  Minimum  System  Information、ＯＳＩ：Other  system  information、ＭＩＢ：Master  Information  Block、ＳＩＢ：System  Information  Blockの少なくとも一つ）の少なくとも一つによって示される候補値から選択されてもよい。
【００３３】
また、初期ＣＳのインデックスも、所定値に制限されてもよい。例えば、ＰＦ０の初期ＣＳのインデックスを０、２又は４に制限することにより、複数のユーザ端末間のＣＳ距離を最大化できる。例えば、１ビットの場合、ＵＥ＃０＝｛０，６｝、ＵＥ＃１＝｛２，８｝、ＵＥ＃２＝｛４，１０｝のように設定することで、ＵＥ＃０−＃３のＣＳ距離を最大化できる。２ビットの場合、ＵＥ＃０＝｛０，３，６，９｝、ＵＥ＃１＝｛２，５，８，１１｝、ＵＥ＃２＝｛４，７，１０，１｝に設定することで、ＵＥ＃０−＃３間の衝突を回避できる。
【００３４】
なお、図２に示される所定値（Ｐ）は、セル固有の値であってもよい。或いは、所定値（Ｐ）は、初期アクティブＵＬ  ＢＷＰ（又はそのサイズ）に基づいて決定される値であってもよい。
【００３５】
例えば、初期アクティブＵＬ  ＢＷＰ（又はそのサイズ）と所定値（Ｐ）とを関連付けるテーブルが設けられ、ユーザ端末は、初期アクティブＵＬ  ＢＷＰ（又はそのサイズ）に対応する所定値（Ｐ）を用いて、上記周波数ホッピングが有効化される場合における第２ホップの周波数リソースを決定してもよい。当該テーブルでは、例えば、初期アクティブＵＬ  ＢＷＰ＃１、＃２、＃３、＃４のそれぞれに対応する所定値Ｐは、１０、２０、３０、４０と定められてもよい。
【００３６】
また、図２におけるＰＵＣＣＨに割り当てられるＰＲＢの開始インデックスの値も、当該所定値（Ｐ）を考慮して決定されてもよい。例えば、図２において、ＰＦ０における当該開始インデックスの取り得る値の範囲は、「０，Ｐ，ＮＭＡＸ−Ｐ−１，ＮＭＡＸ−１」と規定されてもよい。ＰＦ１についても同様の範囲が適用されてもよい。
【００３７】
また、図２２に示すように、ユーザ端末は、１ホップ目と２ホップ目のＰＲＢインデックス（ＰＲＢ番号）のペアは、ＰＵＣＣＨフォーマット（ＰＦ）毎に規定されていると想定してもよい。ＰＦ０とＰＦ１とでは、所要の品質（例えば、ＳＮＲ：Signal  to  Noise  Ratio）が異なるので、符号分割多重（ＣＤＭ）すると通信品質が劣化する恐れがある。一方、ＰＦ毎に異なるＰＲＢインデックスが規定されることで、ＰＦ０及びＰＦ１を周波数分割多重（ＦＤＭ）させることができる。
【００３８】
なお、図２２では、ＰＵＣＣＨに割り当てられる開始ＰＲＢのインデックスは、Ｘ１と規定されるが、Ｘ１＝Ｘ２＋１又はＸ１＝Ｘ２−１と規定されてもよいし、他の値が規定されてもよい。これにより、初期アクセス用のＰＵＣＣＨリソースを一部のＰＲＢに限定することができ、周波数リソースを他の用途（例えば、ＵＬデータ、ＤＬデータ、ＵＬ制御チャネル及びＤＬ制御チャネルの少なくとも一つ）に利用できる。
【００３９】
なお、図２２における所定値Ｘ１及びＸ２は、仕様で規定されていてもよい。或いは、当該所定値Ｘ１及びＸ２は、一以上の候補値の中から、ブロードキャスト情報内の所定フィールド値に基づいて選択されてもよい。
【００４０】
本実施の形態において、ユーザ端末は、ＲＲＣコネクションのセットアップ前のＵＣＩ（例えば、上記メッセージ４に対するＨＡＲＱ−ＡＣＫ）の送信に用いられるＰＵＣＣＨリソースを、システム情報（例えば、ＲＭＳＩ）内の所定フィールド値に基づいて指定する。以下では、ＲＭＳＩを一例として説明するが、ＲＲＣコネクションのセットアップ前に取得可能な情報（例えば、ＯＳＩ、ＭＩＢ、ＳＩＢ等の他のシステム情報、他の上位レイヤ制御情報）がＲＭＳＩに置き換えられてもよい。
【００４１】
本実施の形態では、所定数のＰＵＣＣＨリソースが予め定められてもよい。例えば、ＲＭＳＩ内の所定フィールドがｘビットで構成される場合、２ｘ種類のＰＵＣＣＨリソースのそれぞれが、例えば、図１又は２に例示されるパラメータセットの少なくとも一つのパラメータを含み、各パラメータの値が図１又は２に例示される範囲内で指定されてもよい。当該所定数のＰＵＣＣＨリソースは、予め仕様で定められていてもよいし、ブロードキャスト情報等に基づいて導出されてもよい。
【００４２】
（第１の態様）
第１の態様では、ユーザ端末に対して、一以上のＰＵＣＣＨリソースを含むＰＵＣＣＨリソースセットが、ＲＭＳＩ内の所定フィールド値により通知（設定（configure））される。ユーザ端末は、ＤＣＩ内の所定フィールド値に基づいて、ＲＭＳＩを用いて設定されたＰＵＣＣＨリソースセット内の一つのＰＵＣＣＨリソースを決定し、決定されたＰＵＣＣＨリソースを用いて、ＵＣＩを送信する。
【００４３】
当該ＤＣＩは、例えば、上記メッセージ４又はメッセージ２をスケジューリングするＤＣＩであってもよい。
【００４４】
図３は、第１の態様に係るＰＵＣＣＨリソースの指定の一例を示す図である。図３では、ＰＵＣＣＨリソース＃０−＃３がＲＭＳＩを用いてユーザ端末に設定されるものとする。図３に示すように、ＤＣＩ内の所定フィールドの各値は、ＲＭＳＩを用いて設定されたＰＵＣＣＨリソース＃０−＃３の一つを示してもよい。
【００４５】
図３では、ユーザ端末は、ＤＣＩ内の所定フィールド値に基づいて、ＲＭＳＩを用いて設定されたＰＵＣＣＨリソース＃０−＃３の一つを決定し、決定されたＰＵＣＣＨリソースを用いてＵＣＩを送信する。
【００４６】
図４は、第１の態様に係るＰＵＣＣＨリソースの指定の他の例を示す図である。図４では、ＰＵＣＣＨリソース＃０−＃７がＲＭＳＩを用いてユーザ端末に設定されるものとする。図４に示すように、ＤＣＩ内の所定フィールドの各値は、ＲＭＳＩを用いて設定されたＰＵＣＣＨリソースセット内の複数のＰＵＣＣＨリソースに関連付けられる。
【００４７】
図４では、ユーザ端末は、ＤＣＩ内の所定フィールド値と黙示的（Implicit）インデックスの値（黙示的インデックス値）とに基づいて、ＲＭＳＩを用いて設定されたＰＵＣＣＨリソース＃０−＃３の一つを決定し、決定されたＰＵＣＣＨリソースを用いてＵＣＩを送信する。
【００４８】
ユーザ端末は、黙示的インデックス値を、例えば、制御チャネル要素（ＣＣＥ）、ユーザ端末の識別子（ＵＥ−ＩＤ、例えば、ＲＮＴＩ）、上記メッセージ２又は４を送信するＰＤＳＣＨに割り当てられるＰＲＢの数の少なくとも一つに基づいて導出してもよい。
【００４９】
図４に示すように、ＤＣＩ内の所定フィールドの各値にＸ個（Ｘ＞１、ここでは、Ｘ＝２）の黙示的インデックス値が関連付けられる場合、ユーザ端末は、例えば、以下の式を用いて、黙示的インデックスを導出できる。
黙示的インデックス＝ＣＣＥインデックス  ｍｏｄ（Ｘ）
黙示的インデックス＝ＵＥ−ＩＤ  ｍｏｄ（Ｘ）
黙示的インデックス＝メッセージ２又は４に割り当てられるＰＲＢ数  ｍｏｄ（Ｘ）
【００５０】
図４では、ユーザ端末は、ＲＭＳＩを用いて設定されたＰＵＣＣＨリソース＃０−＃３のうち、ＤＣＩ内の所定フィールド値が示すＰＵＣＣＨリソースを用いて、ＵＣＩを送信する。
【００５１】
なお、ＲＭＳＩにより設定されるＰＵＣＣＨリソースセット内のＰＵＣＣＨリソースは、所定のルール（例えば、図２に示されるようにＰＦ及び／又は範囲の制限、予め定められた所定数のＰＵＣＣＨリソース等）に従って制限されてもよい。
【００５２】
（第２の態様）
第２の態様では、ＲＭＳＩ内の所定フィールド値は、予め定められた所定数のＰＵＣＣＨリソースの中の単一のＰＵＣＣＨリソースを示してもよい。ユーザ端末は、ＲＭＳＩの所定フィールド値が示すＰＵＣＣＨリソース（又は当該ＰＵＣＣＨリソースのインデックス）に基づいてＰＵＣＣＨリソースセットを決定してもよい。
【００５３】
ユーザ端末は、ＤＣＩ内の所定フィールド値に基づいて、当該ＰＵＣＣＨリソースセット内の一つのＰＵＣＣＨリソースを決定し、決定されたＰＵＣＣＨリソースを用いて、ＵＣＩを送信する。
【００５４】
図５は、第２の態様に係るＰＵＣＣＨリソースセットの第１の決定例を示す図である。図５では、所定数のＰＵＣＣＨリソース（ここでは、１６種類のＰＵＣＣＨリソース＃０−＃１５）が予め仕様により定められるものとする。図５では、１ＰＵＣＣＨリソースに対して１インデックスが付与される（関連づけられる、対応づけられる）。ＲＭＳＩ内の所定フィールド値は、ＰＵＣＣＨリソースに関連付けられるインデックスを示してもよい。
【００５５】
例えば、図５では、ＲＭＳＩの所定フィールド値は、ＰＵＣＣＨリソース＃２に関連付けられるインデックス「２」を示す。ユーザ端末は、当該インデックスに基づいて、ＰＵＣＣＨリソースセットを決定する。図５に示すように、ユーザ端末は、当該インデックス「２」から連続する２ｙ個のインデックスを有するＰＵＣＣＨリソース＃２−＃５を含むＰＵＣＣＨリソースセットを決定してもよい。ここで、ｙは、ＤＣＩ内の所定フィールドのビット数である。
【００５６】
ユーザ端末は、所定のルールに従って、ＤＣＩ内の所定フィールドの各値と、ＰＵＣＣＨリソースセット内のＰＵＣＣＨリソースとを関連付けてもよい。例えば、図５では、ＤＣＩ内の所定フィールド値“００”、“０１”、“１０”、“１１”が、それぞれ、ＰＵＣＣＨリソースセット内のＰＵＣＣＨリソース＃２、＃３、＃４、＃５に関連付けられてもよい。
【００５７】
ユーザ端末は、ＤＣＩ（例えば、メッセージ２又は４をスケジューリングするＤＣＩ）内の所定フィールド値に関連付けられる（が示す）ＰＵＣＣＨリソースを決定し、決定されたＰＵＣＣＨリソースを用いてＵＣＩを送信してもよい。
【００５８】
なお、ユーザ端末は、ＲＭＳＩ内の所定フィールド値に基づいて決定されるＰＵＣＣＨリソースセット内の一つのＰＵＣＣＨリソースを、上記ＤＣＩ内の所定フィールド値を用いずに、ｙビットの黙示的インデックスを用いて決定してもよい。当該黙示的インデックス値を、例えば、ＣＣＥ、ＵＥ−ＩＤ、上記メッセージ２又は４に対する割り当てＰＲＢ数の少なくとも一つに基づいて導出してもよい。
【００５９】
例えば、ユーザ端末は、以下の式を用いて、黙示的インデックスを導出できる。
黙示的インデックス＝ＣＣＥインデックス  ｍｏｄ（２＾ｙ）
黙示的インデックス＝ＵＥ−ＩＤ  ｍｏｄ（２＾ｙ）
黙示的インデックス＝メッセージ２又は４に割り当てられるＰＲＢ数  ｍｏｄ（２＾ｙ）
【００６０】
また、ユーザ端末は、ＲＭＳＩ内の所定フィールド値に基づいて決定されるＰＵＣＣＨリソースセット内の一つのＰＵＣＣＨリソースを、上記ＤＣＩ内の所定フィールド値及び黙示的インデックスを用いて決定してもよい。例えば、図２に示されるパラメータセットの一部のパラメータ（例えば、ＰＲＢの開始インデックス、初期ＣＳのインデックス、時間領域におけるＯＣＣのインデックスの少なくとも一つ）は、明示的に指定されてもよい（指定されたＰＵＣＣＨリソースの一部であってもよい）。残りのパラメータは、黙示的に導出されてもよい。
【００６１】
図６は、第２の態様に係るＰＵＣＣＨリソースセットの第２の決定例を示す図である。図６では、図５と同様に、ＲＭＳＩの所定フィールド値は、予め仕様で定められたＰＵＣＣＨリソース＃０−＃１５の一つに関連付けられるインデックス（ここでは、ＰＵＣＣＨリソース＃２に関連付けられるインデックス「２」）を示すものとする。
【００６２】
図６Ａ及び６Ｂに示すように、ＲＭＳＩの所定フィールド値に基づいて決定されるＰＵＣＣＨリソースセット内のＰＵＣＣＨリソース数は、ＤＣＩ内の上記所定フィールドのビット数ｙに基づいて決定される。例えば、当該ＰＵＣＣＨリソース数は、２ｙであってもよい。
【００６３】
ＤＣＩ内の上記所定フィールドのビット数ｙは、ＤＣＩフォーマットによって異なってもよい。例えば、一以上のユーザ端末に共通のサーチスペース（共通サーチスペース）に配置されるＤＣＩ（フォールバックＤＣＩ等ともいう）の場合、上記ビット数ｙ＝１であってもよい。また、ユーザ端末固有のサーチスペースに配置されるＤＣＩ（非フォールバックＤＣＩ等ともいう）の場合、上記ビット数ｙ＝２であってもよい。したがって、ＵＥは、フォールバックＤＣＩを受信した場合はフォールバックＤＣＩの該当１ビットを参照し、非フォールバックＤＣＩを受信した場合は非フォールバックＤＣＩの該当２ビットを参照して、ＰＵＣＣＨリソースセットの決定を行ってもいい。上記のビット数は、他の値でもいい。
【００６４】
例えば、図６Ａに示すように、ＤＣＩ内の上記所定フィールドが１ビットある場合、ユーザ端末は、ＲＭＳＩの所定フィールド値が示すＰＵＣＣＨリソース＃２を基準として、２つのＰＵＣＣＨリソース＃２及び＃３を含むＰＵＣＣＨリソースセットを決定してもよい。図６Ａでは、ＤＣＩによるオーバーヘッドを削減できる。
【００６５】
また、図６Ｂに示すように、ＤＣＩ内の上記所定フィールドが２ビットある場合、ユーザ端末は、ＲＭＳＩの所定フィールド値が示すＰＵＣＣＨリソース＃２を基準として、４つのＰＵＣＣＨリソース＃２−＃５を含むＰＵＣＣＨリソースセットを決定してもよい。図６Ｂでは、図６Ａよりも多い種類のＰＵＣＣＨリソースを動的に指定できるので、性能（performance）を改善効果が得られる。
【００６６】
図７は、第２の態様に係るＰＵＣＣＨリソースセットの第３の決定例を示す図である。図７では、図５、６と同様に、ＲＭＳＩの所定フィールド値は、予め仕様で定められたＰＵＣＣＨリソース＃０−＃１５の一つに関連付けられるインデックス（ここでは、ＰＵＣＣＨリソース＃２に関連付けられるインデックス「２」）を示すものとする。
【００６７】
図７Ａに示すように、ＤＣＩ内の上記フィールドのビット数ｙ＝０であってもよい。この場合、ユーザ端末は、ＲＭＳＩの所定フィールド値が示す一つのＰＵＣＣＨリソース＃２を含むＰＵＣＣＨリソースセットを決定してもよい。
【００６８】
図７Ａに示すように、上記所定フィールド値がｙ（ｙ＝０）ビットであるＤＣＩ（すなわち、上記所定フィールド値を含まないＤＣＩ）は、共通サーチスペースに配置されるＤＣＩ（フォールバックＤＣＩ）であってもよい。一方、図７Ｂに示すように、上記所定フィールド値がｙ（ｙ＝１）ビットであるＤＣＩは、ユーザ端末固有のサーチスペースに配置されるＤＣＩ（非フォールバックＤＣＩ）であってもよい。したがって、ＵＥは、フォールバックＤＣＩを受信した場合はフォールバックＤＣＩのビットを参照せず、非フォールバックＤＣＩを受信した場合は非フォールバックＤＣＩの該当１ビットを参照して、ＰＵＣＣＨリソースセットの決定を行ってもいい。上記のビット数は、他の値でもいい。
【００６９】
図８は、第２の態様に係るＰＵＣＣＨリソースセットの第４の決定例を示す図である。図８に示すように、予め仕様により定められるＰＵＣＣＨリソース＃０−＃１５が、ショートＰＵＣＣＨ（例えば、ＰＦ０）用のＰＵＣＣＨリソースと、ロングＰＵＣＣＨ（例えば、ＰＦ１）用のＰＵＣＣＨリソースとを含んで構成されてもよい。
【００７０】
例えば、図８では、ショートＰＵＣＣＨ用のＰＵＣＣＨリソースとロングＰＵＣＣＨ用のＰＵＣＣＨリソースとは、隣接するインデックス値を有する。これにより、ＤＣＩ内の所定フィールドがｙ（ｙ≧１）ビットであれば、ＲＭＳＩの所定フィールド値に基づいて決定されるＰＵＣＣＨリソースには、ショートＰＵＣＣＨ用のＰＵＣＣＨリソース（図８では、ＰＵＣＣＨリソース＃２及び＃４）とロングＰＵＣＣＨ用のＰＵＣＣＨリソース（図８では、ＰＵＣＣＨリソース＃３及び＃５）とが等しく含まれる。
【００７１】
したがって、ＲＭＳＩ内の所定フィールド値がショートＰＵＣＣＨ又はロングＰＵＣＣＨのいずれを示す場合であっても、ＤＣＩ内の所定フィールド値によりショートＰＵＣＨ又はロングＰＵＣＣＨを指定可能となる。
【００７２】
図９は、第２の態様に係るＰＵＣＣＨリソースセットの第５の決定例を示す図である。図９Ａ及び９Ｂでは、予め仕様により定められるＰＵＣＣＨリソース＃０−＃１５が、ショートＰＵＣＣＨ（例えば、ＰＦ０）用のＰＵＣＣＨリソースと、ロングＰＵＣＣＨ（例えば、ＰＦ１）用のＰＵＣＣＨリソースとを偏って含む点で、図８と異なる。
【００７３】
例えば、図９Ａ及び９Ｂでは、ショートＰＵＣＣＨ用のＰＵＣＣＨリソースは、インデックス値が小さいＰＵＣＣＨリソースに多く配置され、ロングＰＵＣＣＨ用のＰＵＣＣＨリソースは、インデックス値が小さいＰＵＣＣＨリソースに多く配置される。
【００７４】
図９Ａ及び９Ｂでは、ＲＭＳＩの所定フィールド値を制御することにより、ＰＵＣＣＨリソースセットに含まれるショートＰＵＣＣＨ用のＰＵＣＣＨリソースと、ロングＰＵＣＣＨ用のＰＵＣＣＨリソースとの数を制御できる。
【００７５】
例えば、図９Ａでは、ＲＭＳＩの所定フィールド値を“０”とすることにより、ユーザ端末は、３つのショートＰＵＣＣＨ用のＰＵＣＣＨリソース＃０−＃２及び一つのロングＰＵＣＣＨ用のＰＵＣＣＨリソース＃３を含むＰＵＣＣＨリソースセットを決定できる。
【００７６】
一方、図９Ｂでは、ＲＭＳＩの所定フィールド値を“１２”とすることにより、ユーザ端末は、１つのショートＰＵＣＣＨ用のＰＵＣＣＨリソース＃１２及び３つのロングＰＵＣＣＨ用のＰＵＣＣＨリソース＃１３−＃１５を含むＰＵＣＣＨリソースセットを決定できる。
【００７７】
ただし、図９Ａと図９Ｂに示した、第２の態様に係るＰＵＣＣＨリソースセットの第５の決定例を示す図はこれに限られない。例えば、図９Ａと図９Ｂにおけるインデックス３はショートＰＵＣＣＨであってもよく、インデックス１２はロングＰＵＣＣＨであってもよい。これにより、特定のセルでは常にショートＰＵＣＣＨを割当てることができ、また、特定のセルでは常にロングＰＵＣＣＨを割当てることもできる。
【００７８】
カバレッジが相対的に小さいセル（スモールセル）を想定すると、全ＵＥがショートＰＵＣＣＨで接続できるようセル設計をすることが想定できるので、ＰＵＣＣＨリソースセットの中身をすべてショートＰＵＣＣＨにすることで、より多くの候補からショートＰＵＣＣＨのリソースをＵＥに割当てることができ、ＰＵＣＣＨの通信品質を改善できる。
【００７９】
また、カバレッジがスモールセルより大きいセル（ラージセル）を想定すると、大多数のＵＥはロングＰＵＣＣＨで接続することを想定してセル設計をするので、ＰＵＣＣＨリソースセットの中身をすべてロングＰＵＣＣＨにすることで、より多くの候補からロングＰＵＣＣＨのリソースをＵＥに割当てることができ、ＰＵＣＣＨの通信品質を改善できる。
【００８０】
図１０は、第２の態様に係るＲＭＳＩの所定フィールド値の想定の一例を示す図である。図１０に示すように、ユーザ端末は、ＲＭＳＩ内の所定フィールド値によって指定されるＰＵＣＣＨリソースのインデックスが制限されると想定してもよい。
【００８１】
ユーザ端末は、ＤＣＩ内の所定フィールドのビット数ｙに基づいて、例えば、下記式を用いて、ＲＭＳＩ内の所定フィールド値によって指定されるＰＵＣＣＨリソースのインデックスを決定してもよい。ここで、ｍは所定の添え字である。
インデックス＝（２＾ｙ）・ｍ，where ｍ＝０、１、２、３…
【００８２】
例えば、図１０では、ｙ＝２であるので、上記式に基づいてＲＭＳＩ内の所定フィールド値によって指定されるＰＵＣＣＨリソースのインデックス＃０、＃４、＃８、＃１２を決定してもよい。
【００８３】
或いは、ユーザ端末は、ＤＣＩ内の所定フィールドのビット数ｙに関係なく、ＲＭＳＩ内の所定フィールド値によって指定されるＰＵＣＣＨリソースのインデックスを固定的に決定してもよい。
【００８４】
図１０に示すように、ＲＭＳＩ内の所定フィールド値によって指定されるＰＵＣＣＨリソースのインデックスを制限することにより、当該所定フィールドのビット数を削減でき、ＲＭＳＩのオーバーヘッドを削減できる。また、ＲＭＳＩ内の所定フィールド値によって指定されるＰＵＣＣＨリソースのインデックスを制限することにより、同じＲＭＳＩのビット数を保ったまま、より多くの候補のＰＵＣＣＨリソースを割当てることができるので、ＰＵＣＣＨの通信品質を改善できる。例えば、ＲＭＳＩ内の所定フィールドが４ビットを保った場合、ＲＭＳＩの割当て可能なインデックスを０、４、８、１２、．．．と制限することにより、４倍のＰＵＣＣＨリソース候補（この場合、６４個）からＰＵＣＣＨリソースをＵＥに割当てることができる。
【００８５】
第２の態様では、ＲＭＳＩ内の所定フィールド値が示す一つのＰＵＣＣＨリソースに基づいて一以上のＰＵＣＣＨリソースを含むＰＵＣＣＨリソースセットが決定される。このため、ＲＭＳＩを用いて当該ＰＵＣＣＨリソースセットを通知（設定）する場合と比較して、当該ＲＭＳＩのオーバーヘッドを削減できる。
【００８６】
（第３の態様）
第３の態様では、ＲＭＳＩ内の所定フィールド値は、予め定められた所定数のＰＵＣＣＨリソースの中の複数のＰＵＣＣＨリソースを示す点で、当該所定フィールド値が一つのＰＵＣＣＨリソースを示す第２の態様と異なる。
【００８７】
第３の態様では、ユーザ端末は、ＲＭＳＩの所定フィールド値が示す複数のＰＵＣＣＨリソースを含むＰＵＣＣＨリソースセットを決定してもよい。ユーザ端末は、ＤＣＩ内の所定フィールド値に基づいて、当該ＰＵＣＣＨリソースセット内の一つのＰＵＣＣＨリソースを決定し、決定されたＰＵＣＣＨリソースを用いて、ＵＣＩを送信する。
【００８８】
図１１は、第２の態様に係るＰＵＣＣＨリソースセットの第１の決定例を示す図である。図１１では、所定数のＰＵＣＣＨリソース（ここでは、６４個のＰＵＣＣＨリソース＃ｉ−ａ〜＃ｉ−ｄ（０≦ｉ≦１５））が予め仕様により定められるものとする。
【００８９】
図１１では、複数のＰＵＣＣＨリソースに対して１インデックスが付与される（関連づけられる、対応づけられる）。ＲＭＳＩ内の所定フィールド値は、複数のＰＵＣＣＨリソースに関連付けられるインデックスを示してもよい。
【００９０】
例えば、図１１では、ＲＭＳＩの所定フィールド値は、ＰＵＣＣＨリソース＃２−ａ〜＃２−ｄに関連付けられるインデックス「２」を示す。ユーザ端末は、当該インデックスに基づいて、ＰＵＣＣＨリソースセットを決定する。図１１に示すように、ユーザ端末は、当該インデックス「２」に関連付けられる２ｙ個のＰＵＣＣＨリソース＃２−ａ〜＃２−ｄを含むＰＵＣＣＨリソースセットを決定してもよい。ここで、ｙは、ＤＣＩ内の所定フィールドのビット数である。
【００９１】
ユーザ端末は、所定のルールに従って、ＤＣＩ内の所定フィールドの各値と、ＰＵＣＣＨリソースセット内のＰＵＣＣＨリソースとを関連付けてもよい。例えば、図１１では、ＤＣＩ内の所定フィールド値“００”、“０１”、“１０”、“１１”が、それぞれ、ＰＵＣＣＨリソースセット内のＰＵＣＣＨリソース＃２−ａ、＃２−ｂ、＃２−ｃ、＃２−ｄに関連付けられてもよい。
【００９２】
ユーザ端末は、ＤＣＩ（例えば、メッセージ２又は４をスケジューリングするＤＣＩ）内の所定フィールド値に関連付けられる（が示す）ＰＵＣＣＨリソースを決定し、決定されたＰＵＣＣＨリソースを用いてＵＣＩを送信してもよい。
【００９３】
なお、ユーザ端末は、ＲＭＳＩ内の所定フィールド値に基づいて決定されるＰＵＣＣＨリソースセット内の一つのＰＵＣＣＨリソースを、上記ＤＣＩ内の所定フィールド値を用いずに、ｙビットの黙示的インデックスを用いて決定してもよい。当該黙示的インデックス値は、第２の態様と同様に導出できる。
【００９４】
また、ユーザ端末は、ＲＭＳＩ内の所定フィールド値に基づいて決定されるＰＵＣＣＨリソースセット内の一つのＰＵＣＣＨリソースを、上記ＤＣＩ内の所定フィールド値及び黙示的インデックスを用いて決定してもよい。例えば、図２に示されるパラメータセットの一部のパラメータ（例えば、ＰＲＢの開始インデックス、初期ＣＳのインデックス、時間領域におけるＯＣＣのインデックスの少なくとも一つ）は、明示的に指定されてもよい（指定されたＰＵＣＣＨリソースの一部であってもよい）。残りのパラメータは、黙示的に導出されてもよい。
【００９５】
図１２は、第３の態様に係るＰＵＣＣＨリソースセットの第２の決定例を示す図である。図１２では、図１１と同様に、ＲＭＳＩ内の所定フィールド値は、複数のＰＵＣＣＨリソースに関連付けられるインデックスを示すものとする。
【００９６】
図１２に示すように、ＲＭＳＩの所定フィールド値に基づいて決定されるＰＵＣＣＨリソースセット内のＰＵＣＣＨリソース数は、ＤＣＩ内の上記所定フィールドのビット数ｙに基づいて決定される。例えば、当該ＰＵＣＣＨリソース数は、２ｙであってもよい。
【００９７】
ＤＣＩ内の上記所定フィールドのビット数ｙは、ＤＣＩフォーマットによって異なってもよい。例えば、共通サーチスペースに配置されるＤＣＩ（フォールバックＤＣＩ等ともいう）の場合、上記ビット数ｙ＝１であってもよい。また、ユーザ端末固有のサーチスペースに配置されるＤＣＩ（非フォールバックＤＣＩ等ともいう）の場合、上記ビット数ｙ＝２であってもよい。
【００９８】
例えば、図１２に示すように、ＤＣＩ内の上記所定フィールドが１ビットある場合、ユーザ端末は、ＲＭＳＩの所定フィールド値が示すインデックス（例えば、「１０」）に関連付けられる２つのＰＵＣＣＨリソース（例えば、ＰＵＣＣＨリソース＃１０−ａ及び＃１０−ｂ）を含むＰＵＣＣＨリソースセットを決定してもよい。図１２Ａでは、ＤＣＩによるオーバーヘッドを削減できる。
【００９９】
また、図１２Ｂに示すように、ＤＣＩ内の上記所定フィールドが２ビットある場合、ユーザ端末は、ＲＭＳＩの所定フィールド値が示すインデックス（例えば、「２」）に関連付けられる４つのＰＵＣＣＨリソース（例えば、ＰＵＣＣＨリソース＃２−ａ〜＃２−ｄ）を含むＰＵＣＣＨリソースセットを決定してもよい。図１２Ｂでは、図１２Ａよりも多い種類のＰＵＣＣＨリソースを動的に指定できるので、性能（performance）を改善効果が得られる。
【０１００】
図１３は、第２の態様に係るＰＵＣＣＨリソースセットの第３の決定例を示す図である。図１３に示すように、同一のインデックスに関連付けられる複数のＰＵＣＣＨリソースは、ショートＰＵＣＣＨ（例えば、ＰＦ０）用のＰＵＣＣＨリソースと、ロングＰＵＣＣＨ（例えば、ＰＦ１）用のＰＵＣＣＨリソースとを含んで構成されてもよい。図１３では、同一のインデックスに対して、同一の割合でショートＰＵＣＣＨ用のＰＵＣＣＨリソースとロングＰＵＣＣＨ用のＰＵＣＣＨリソースとが関連付けられる。
【０１０１】
例えば、図１３では、ショートＰＵＣＣＨ用のＰＵＣＣＨリソースとロングＰＵＣＣＨ用のＰＵＣＣＨリソースとが、同一のインデックスに関連付けられる。また、図１３では、同一のインデックスに関連づけられる複数のＰＵＣＣＨリソース内で、ショートＰＵＣＣＨ用のＰＵＣＣＨリソースとロングＰＵＣＣＨ用のリソースとに隣接するインデックスが付される。
【０１０２】
これにより、ＤＣＩ内の所定フィールドがｙ（ｙ≧１）ビットであれば、ＲＭＳＩの所定フィールド値に基づいて決定されるＰＵＣＣＨリソースセットには、ショートＰＵＣＣＨ用のＰＵＣＣＨリソース（図１３では、ＰＵＣＣＨリソース＃４−ａ及び＃４−ｃ）とロングＰＵＣＣＨ用のＰＵＣＣＨリソース（図１３では、ＰＵＣＣＨリソース＃４−ｂ及び＃４−ｄ）とが等しく含まれる。
【０１０３】
したがって、ＲＭＳＩ内の所定フィールド値がショートＰＵＣＣＨ又はロングＰＵＣＣＨのいずれを示す場合であっても、ＤＣＩ内の所定フィールド値によりショートＰＵＣＨ又はロングＰＵＣＣＨを指定可能となる。
【０１０４】
図１４は、第２の態様に係るＰＵＣＣＨリソースセットの第４の決定例を示す図である。図１４では、同一のインデックスに対して、同一の割合だけでなく、異なる割合で、ショートＰＵＣＣＨ用のＰＵＣＣＨリソースとロングＰＵＣＣＨ用のＰＵＣＣＨリソースとが関連付けられもよい点で、図１３と異なる。
【０１０５】
図１４では、ＲＭＳＩの所定フィールド値を制御することにより、ＰＵＣＣＨリソースセットに含まれるショートＰＵＣＣＨ用のＰＵＣＣＨリソースと、ロングＰＵＣＣＨ用のＰＵＣＣＨリソースとの数を制御できる。
【０１０６】
例えば、図１４では、ＲＭＳＩの所定フィールド値を“２”とすることにより、ユーザ端末は、３つのショートＰＵＣＣＨ用のＰＵＣＣＨリソース＃２ａ〜＃２ｃ及び一つのロングＰＵＣＣＨ用のＰＵＣＣＨリソース＃２−ｄを含むＰＵＣＣＨリソースセットを決定できる。
【０１０７】
一方、図１４では、ＲＭＳＩの所定フィールド値を“１３”とすることにより、ユーザ端末は、１つのショートＰＵＣＣＨ用のＰＵＣＣＨリソース＃１３−ａ及び３つのロングＰＵＣＣＨ用のＰＵＣＣＨリソース＃１３−ｂ〜＃１３−ｄを含むＰＵＣＣＨリソースセットを決定できる。
【０１０８】
（第４の態様）
第４の態様では、所定数のＰＵＣＣＨリソースをそれぞれ含む複数のセットが定められる。ＲＭＳＩの所定フィールド値は、所定のルールに従って選択されたセット内のＰＵＣＣＨリソースを示してもよい。
【０１０９】
第２の態様で説明したように、各セット内の一つＰＵＣＣＨリソースとインデックスとを関連付けるテーブルが用いられてもよい。例えば、図５−９に例示されるテーブルがセット毎に設けられてもよい。ユーザ端末は、所定のルールに従って選択されたセットのテーブルを参照し、ＲＭＳＩ内の所定フィールド値が示すインデックスに基づいて、ＰＵＣＣＨリソースセットを決定してもよい。
【０１１０】
或いは、第３の態様で説明したように、各セット内の複数のＰＵＣＣＨリソースとインデックスとを関連付けるテーブルが用いられてもよい。例えば、図１１−１４に例示されるテーブルがセット毎に設けられてもよい。ユーザ端末は、所定のルールに従って選択されたセットのテーブルを参照し、ＲＭＳＩ内の所定フィールド値が示すインデックスに基づいて、ＰＵＣＣＨリソースセットを決定してもよい。
【０１１１】
当該所定のルールとしては、例えば、以下のルール１）〜４）の少なくとも一つが用いられてもよい。
【０１１２】
ルール１）は、中心周波数ｆｃが所定の閾値（例えば、６ＧＨｚ）以下（又は未満）であるか否かであってもよい。例えば、中心周波数ｆｃが所定の閾値より低い場合、ロングＰＵＣＣＨ用のＰＵＣＣＨリソースを多く含むセットが選択されてもよい。一方、中心周波数ｆｃが所定の閾値を超える場合、ショートＰＵＣＣＨ用のＰＵＣＣＨリソースを多く含むセットが選択されてもよい。高周波数帯（例えば、ｆｃが６ＧＨｚを超える）では、パスロスが大きくなるため、カバレッジが小さいと考えられるためである。
【０１１３】
ルール２）は、時分割複信（ＴＤＤ）キャリア又は周波数分割複信（ＦＤＤ）キャリアのいずれであるかであってもよい。例えば、ＦＤＤキャリアでは、ロングＰＵＣＣＨ用のＰＵＣＣＨリソースを多く含むセットが選択されてもよい。一方、ＴＤＤキャリアでは、ショートＰＵＣＣＨ用のＰＵＣＣＨリソースを多く含むセットが選択されてもよい。ＴＤＤキャリアは、低い遅延、高周波数が想定されるため、カバレッジが小さいと考えられるためである。
【０１１４】
ルール３）は、ＲＡＣＨ構成（又はランダムアクセスプリアンブルのタイミング）に基づくものであってもよい。例えば、ＲＡＣＨ構成は、dense又はruralであるかによって、セットが選択されてもよい。また、ランダムアクセスプリアンブルが所定の閾値よりも短い（＝ＲＡＣＨ構成がdense）の場合、ショートＰＵＣＣＨ用のＰＵＣＣＨリソースを多く含むセットが選択されてもよい。ンダムアクセスプリアンブルが所定の閾値よりも短い（＝ＲＡＣＨ構成がrural）の場合、ロングＰＵＣＣＨ用のＰＵＣＣＨリソースを多く含むセットが選択されてもよい。
【０１１５】
（第５の態様）
第５の態様では、以上のように決定されるＰＵＣＣＨリソースで送信されるＵＣＩの送信帯域幅について説明する。なお、第５の態様では、当該ＵＣＩとして、メッセージ４に対するＨＡＲＱ−ＡＣＫを例示するが、これに限られない。
【０１１６】
メッセージ４に対するＨＡＲＱ−ＡＣＫは、上述の初期アクティブＵＬ  ＢＷＰで送信されてもよい。メッセージ４をスケジューリングするＤＣＩは、初期アクティブＵＬ  ＢＷＰ内のＰＲＢインデックスを示してもよい。なお、初期アクティブＵＬ  ＢＷＰは、ＲＭＳＩによって設定される。
【０１１７】
或いは、メッセージ４に対するＨＡＲＱ−ＡＣＫは、非初期アクセス用で、現在アクティブ状態である下りＢＷＰ（カレントアクティブＤＬ  ＢＷＰ：current  active  DL  BWP）に対応する上りＢＷＰ（カレントアクティブＵＬ  ＢＷＰ：current  active  UL  BWP）で送信されてもよい。
【０１１８】
ＢＷＰ適用（BWP  adaptation）は、どのようなＵＬ  ＢＷＰの構成でのＰＲＡＣＨをサポートしてもよい。初期アクセスと同一のメカニズムが、メッセージ４に対するＨＡＲＱ−ＡＣＫ用のＰＵＣＣＨリソースの決定に用いられてもよい。また、非初期アクセス用にメッセージ４に対するＨＡＲＱ−ＡＣＫが、ユーザ固有のＨＡＲＱ−ＡＣＫと同様に、ユーザ固有のＲＲＣシグナリグ及びＤＣＩに基づいて送信されてもよい。
【０１１９】
（第６の態様）
第６の態様では、以上のように決定されるＰＵＣＣＨリソースで送信されるＵＣＩのタイミング（スロットのインデックス）の決定について説明する。なお、第６の態様では、当該ＵＣＩとして、メッセージ４に対するＨＡＲＱ−ＡＣＫを例示するが、これに限られない。
【０１２０】
ユーザ端末は、ＲＭＳＩの所定フィールド値及びＤＣＩ内の所定フィールド値の少なくとも一つを用いて、当該ＵＣＩを送信するスロットを決定してもよい。或いは、ユーザ端末は、黙示的方法により、当該ＵＣＩを送信するスロットを決定してもよい。例えば、ユーザ端末は、以下の方法（１）−（７）のいずれかを用いて当該スロットを決定してもよい。
【０１２１】
（１）ユーザ端末は、メッセージ４を受信するスロットから所定数（ｋ）のスロット後に当該メッセージ４に対するＨＡＲＱ−ＡＣＫを送信する。当該所定数（ｋ）は、予め仕様で定められていてもよいし、ＲＭＳＩ内の所定フィールド値によって示されてもよい。例えば、図１５Ａに示されるように、ＲＭＳＩ内の所定フィールド値（インデックス、スロット識別子等ともいう）には、メッセージ４からのスロット数（スロット距離等ともいう）が関連付けられてもよい。
【０１２２】
或いは、（２）ＤＣＩ（例えば、メッセージ４をスケジューリングするＤＣＩ）の所定フィールド値が、当該メッセージ４と当該メッセージ４に対するＨＡＲＱ−ＡＣＫとの間の期間（スロット数）を示す。例えば、図１５Ａに示されるように、ＤＣＩ内の所定フィールド値（インデックス、スロット識別子等ともいう）には、メッセージ４からのスロット数が関連付けられてもよい。
【０１２３】
或いは、（３）当該メッセージ４と当該メッセージ４に対するＨＡＲＱ−ＡＣＫとの間の期間（スロット数）が、黙示的に示されてもよい。例えば、ユーザ端末は、ＣＣＥインデックス、ＵＥ−ＩＤ、上記メッセージ４を送信するＰＤＳＣＨに割り当てられるＰＲＢの数の少なくとも一つに基づいて導出してもよい。例えば、これらのパラメータが、予め定められたスロット数の種類Ｘとモジュロ演算されてもよい。
【０１２４】
或いは、（４）予め定められたＸ種類のスロット数のパターンは、ＰＵＣＣＨフォーマットによって異なってもよい。例えば、メッセージ４に対するＨＡＲＱ−ＡＣＫをショートＰＵＣＣＨで送信する場合には、図１５Ｂに示すように、メッセージ４からのスロット数が相対的に小さく設定されたテーブルが用いられてもよい。ショートＰＵＣＣＨには低遅延が求められるため、早いタイミングでＨＡＲＱ−ＡＣＫを送信することが求められるためである。
【０１２５】
一方、メッセージ４に対するＨＡＲＱ−ＡＣＫをロングＰＵＣＣＨで送信する場合には、図１５Ｃに示すように、メッセージ４からのスロット数が図１５Ｂよりも大きく設定されたテーブルが用いられてもよい。ロングＰＵＣＣＨには低遅延が求められないためである。
【０１２６】
或いは、（５）メッセージ４からのスロット数は、ＰＵＣＣＨフォーマットによって固定的に定められてもよい。図１５Ｃに示すように、例えば、メッセージ４に対するＨＡＲＱ−ＡＣＫをショートＰＵＣＣＨで送信する場合には、メッセージ４からのスロット数が０であり、当該ＨＡＲＱ−ＡＣＫをロングＰＵＣＣＨで送信する場合には、当該スロット数が４であってもよい。
【０１２７】
なお、メッセージ４からのスロット数は、厳密値であってもよいし、厳密値でなくともよい。ユーザ端末は、指示されたスロット数以降の利用可能な上りスロットで、メッセージ４に対するＨＡＲＱ−ＡＣＫを送信すればよい。ユーザ端末は、ＳＩＢ１でブロードキャストされる構成情報（例えば、4  HARQ-ACK  by  tdd-UL-DL-configuration）により、どのスロットで当該ＨＡＲＱ−ＡＣＫが送信されるかを認識できる。
【０１２８】
（その他の態様）
以上の態様では、ＲＲＣコネクションのセットアップ前のＵＣＩの送信に用いられるＰＵＣＣＨリソースの決定について説明したが、本実施の形態は、ＲＲＣコネクションの接続（establishment）後であっても所定の条件が満たされる場合に適用可能である。例えば、ＰＵＣＣＨフォーマットのフォールバックがトリガされる場合は、ＲＲＣコネクションの接続後であっても、本実施の形態に係るＰＵＣＣＨリソースの決定方法（初期アクセス用のＰＵＣＣＨリソースの決定方法等ともいう）を用いて、ＰＵＣＣＨリソース（フォールバックＰＵＣＣＨリソース等ともいう）を決定できる。
【０１２９】
また、初期アクセス用のＰＵＣＣＨリソースの決定方法への切り替えは、無線基地局からのＰＵＣＣＨフォーマットのフォールバック（切り替え）の指示情報及び設定（configuration）情報の少なくとも一つに基づいて行われてもよい。当該指示情報及び設定情報の少なくとも一つは、特定のＤＣＩ内の所定ビット（例えば、１ビット）で通知されてもよい。
【０１３０】
本実施の形態に係る方法で決定されるＰＵＣＣＨフォーマット（ＰＦ）及びＰＵＣＣＨリソースの少なくとも一つ（ＰＦ／ＰＵＣＣＨリソース）は、所定の品質（誤り検出率）を満たすＰＦ／ＰＵＣＣＨリソースとなると想定できる。したがって、ユーザ端末の通信品質の劣化により当該ユーザ端末に対するフォールバックが指示される場合、本実施の形態に係る方法でＰＦ／ＰＵＣＣＨリソースを決定することにより、ＵＣＩの品質を向上させることができる。
【０１３１】
（無線通信システム）
以下、本実施の形態に係る無線通信システムの構成について説明する。この無線通信システムでは、上記各態様に係る無線通信方法が適用される。なお、上記各態様に係る無線通信方法は、それぞれ単独で適用されてもよいし、少なくとも２つを組み合わせて適用されてもよい。
【０１３２】
図１６は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  RAT：New  Radio  Access  Technology）などと呼ばれても良い。
【０１３３】
図１６に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。セル間及び／又はセル内で異なるニューメロロジーが適用される構成としてもよい。
【０１３４】
ここで、ニューメロロジーとは、周波数方向及び／又は時間方向における通信パラメータ（例えば、サブキャリアの間隔（サブキャリア間隔）、帯域幅、シンボル長、ＣＰの時間長（ＣＰ長）、サブフレーム長、ＴＴＩの時間長（ＴＴＩ長）、ＴＴＩあたりのシンボル数、無線フレーム構成、フィルタリング処理、ウィンドウイング処理などの少なくとも一つ）である。無線通信システム１では、例えば、１５ｋＨｚ、３０ｋＨｚ、６０ｋＨｚ、１２０ｋＨｚ、２４０ｋＨｚなどのサブキャリア間隔がサポートされてもよい。
【０１３５】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、２個以上のＣＣ）を用いてＣＡ又はＤＣを適用することができる。また、ユーザ端末は、複数のセルとしてライセンスバンドＣＣとアンライセンスバンドＣＣを利用することができる。
【０１３６】
また、ユーザ端末２０は、各セルで、時分割複信（ＴＤＤ：Time  Division  Duplex）又は周波数分割複信（ＦＤＤ：Frequency  Division  Duplex）を用いて通信を行うことができる。ＴＤＤのセル、ＦＤＤのセルは、それぞれ、ＴＤＤキャリア（フレーム構成タイプ２）、ＦＤＤキャリア（フレーム構成タイプ１）等と呼ばれてもよい。
【０１３７】
また、各セル（キャリア）では、単一のニューメロロジーが適用されてもよいし、複数の異なるニューメロロジーが適用されてもよい。
【０１３８】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚ、３０〜７０ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１３９】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１４０】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１４１】
なお、無線基地局１１は、相対的に広いカバレッジを有する無線基地局であり、マクロ基地局、集約ノード、ｅＮＢ（eNodeB）、ｇＮＢ（gNodeB）、送受信ポイント（ＴＲＰ）、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、ｅＮＢ、ｇＮＢ、送受信ポイントなどと呼ばれてもよい。以下、無線基地局１１及び１２を区別しない場合は、無線基地局１０と総称する。
【０１４２】
各ユーザ端末２０は、ＬＴＥ、ＬＴＥ−Ａ、５Ｇ、ＮＲなどの各種通信方式に対応した端末であり、移動通信端末だけでなく固定通信端末を含んでもよい。また、ユーザ端末２０は、他のユーザ端末２０との間で端末間通信（Ｄ２Ｄ）を行うことができる。
【０１４３】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、ＵＬでＯＦＤＭＡが用いられてもよい。
【０１４４】
また、無線通信システム１では、マルチキャリア波形（例えば、ＯＦＤＭ波形）が用いられてもよいし、シングルキャリア波形（例えば、ＤＦＴ−ｓ−ＯＦＤＭ波形）が用いられてもよい。
【０１４５】
無線通信システム１では、ＤＬチャネルとして、各ユーザ端末２０で共有されるＤＬ共有チャネル（ＰＤＳＣＨ：Physical  Downlink  Shared  Channel、ＤＬデータチャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ユーザデータや上位レイヤ制御情報、ＳＩＢ（System  Information  Block）などが伝送される。また、ＰＢＣＨにより、ＭＩＢ（Master  Information  Block）が伝送される。
【０１４６】
Ｌ１／Ｌ２制御チャネルは、ＤＬ制御チャネル（ＰＤＣＣＨ（Physical  Downlink  Control  Channel）、ＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＥＰＤＣＣＨは、ＰＤＳＣＨと周波数分割多重され、ＰＤＣＣＨと同様にＤＣＩなどの伝送に用いられる。ＰＨＩＣＨ、ＰＤＣＣＨ、ＥＰＤＣＣＨの少なくとも一つにより、ＰＵＳＣＨに対するＨＡＲＱの再送制御情報（ＡＣＫ／ＮＡＣＫ）を伝送できる。
【０１４７】
無線通信システム１では、ＵＬチャネルとして、各ユーザ端末２０で共有されるＵＬ共有チャネル（ＰＵＳＣＨ：Physical  Uplink  Shared  Channel、上り共有チャネル等ともいう）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。ＤＬ信号の再送制御情報（Ａ／Ｎ）やチャネル状態情報（ＣＳＩ）などの少なくとも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルを伝送できる。
【０１４８】
＜無線基地局＞
図１７は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信アンテナ１０１、アンプ部１０２、送受信部１０３は、それぞれ１つ以上を含むように構成されてもよい。
【０１４９】
ＤＬにより無線基地局１０からユーザ端末２０に送信されるユーザデータは、上位局装置３０から伝送路インターフェース１０６を介してベースバンド信号処理部１０４に入力される。
【０１５０】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化や逆高速フーリエ変換などの送信処理が行われて、送受信部１０３に転送される。
【０１５１】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１５２】
本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１５３】
一方、ＵＬ信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【０１５４】
ベースバンド信号処理部１０４では、入力されたＵＬ信号に含まれるＵＬデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【０１５５】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１５６】
また、送受信部１０３は、ユーザ端末２０に対してＤＬ信号（ＤＬデータ信号、ＤＬ制御信号、ＤＬ参照信号の少なくとも一つを含む）を送信し、当該ユーザ端末２０からのＵＬ信号（ＵＬデータ信号、ＵＬ制御信号、ＵＬ参照信号の少なくとも一つを含む）を受信する。
【０１５７】
また、送受信部１０３は、上り共有チャネル（例えば、ＰＵＳＣＨ）又は上り制御チャネル（例えば、ショートＰＵＣＣＨ及び／又はロングＰＵＣＣＨ）を用いて、ユーザ端末２０からのＵＣＩを受信する。当該ＵＣＩは、ＤＬデータチャネル（例えば、ＰＤＳＣＨ）のＨＡＲＱ−ＡＣＫ、ＣＳＩ、ＳＲ、ビームの識別情報（例えば、ビームインデックス（ＢＩ））、バッファステータスレポート（ＢＳＲ）の少なくとも一つを含んでもよい。
【０１５８】
また、送受信部１０３は、上り制御チャネル（例えば、ショートＰＵＣＣＨ、ロングＰＵＣＣＨ）に関する制御情報（例えば、フォーマット、スロット内のＰＵＣＣＨユニット数、ＰＵＣＣＨユニットのサイズ、ＲＳの多重方法、ＲＳの配置位置、ＲＳの存在有無、ＲＳの密度、ＳＲＳの有無、上り制御チャネル用のリソースの少なくとも一つ）を物理レイヤシグナリング（Ｌ１シグナリング）及び／又は上位レイヤシグナリングにより送信してもよい。
【０１５９】
また、送受信部１０３は、フォールバックに関する情報（例えば、上記指示情報及び／又は構成情報）を送信してもよい。
【０１６０】
図１８は、本実施の形態に係る無線基地局の機能構成の一例を示す図である。なお、図１８は、本実施の形態における特徴部分の機能ブロックを主に示しており、無線基地局１０は、無線通信に必要な他の機能ブロックも有しているものとする。図１８に示すように、ベースバンド信号処理部１０４は、制御部３０１と、送信信号生成部３０２と、マッピング部３０３と、受信信号処理部３０４と、測定部３０５とを備えている。
【０１６１】
制御部３０１は、無線基地局１０全体の制御を実施する。制御部３０１は、例えば、送信信号生成部３０２によるＤＬ信号の生成や、マッピング部３０３によるＤＬ信号のマッピング、受信信号処理部３０４によるＵＬ信号の受信処理（例えば、復調など）、測定部３０５による測定を制御する。
【０１６２】
具体的には、制御部３０１は、ユーザ端末２０のスケジューリングを行う。具体的には、制御部３０１は、ユーザ端末２０からのＵＣＩ（例えば、ＣＳＩ及び／又はＢＩ）に基づいて、ＤＬデータ及び／又は上り共有チャネルのスケジューリング及び／又は再送制御を行ってもよい。
【０１６３】
また、制御部３０１は、上り制御チャネル（例えば、ロングＰＵＣＣＨ及び／又はショートＰＵＣＣＨ）の構成（フォーマット）を制御し、当該上り制御チャネルに関する制御情報を送信するよう制御してもよい。
【０１６４】
また、制御部３０１は、ＰＵＣＣＨリソースを制御してもよい。具体的には、制御部３０１は、予め仕様で定められた所定数のＰＵＣＣＨリソースの中から、ユーザ端末２０に設定する一以上のＰＵＣＣＨリソースを決定してもよい。また、制御部３０１は、決定されたＰＵＣＣＨリソースの少なくとも一つを示すシステム情報（例えば、ＲＭＳＩ）の生成及び送信の少なくとも一つを制御してもよい。
【０１６５】
制御部３０１は、上り制御チャネルのフォーマットに基づいて、ユーザ端末２０からのＵＣＩの受信処理を行うように、受信信号処理部３０４を制御してもよい。
【０１６６】
制御部３０１は、本発明に係る技術分野での共通認識に基づいて説明されるコントローラ、制御回路又は制御装置から構成することができる。
【０１６７】
送信信号生成部３０２は、制御部３０１からの指示に基づいて、ＤＬ信号（ＤＬデータ信号、ＤＬ制御信号、ＤＬ参照信号を含む）を生成して、マッピング部３０３に出力する。
【０１６８】
送信信号生成部３０２は、本発明に係る技術分野での共通認識に基づいて説明される信号生成器、信号生成回路又は信号生成装置とすることができる。
【０１６９】
マッピング部３０３は、制御部３０１からの指示に基づいて、送信信号生成部３０２で生成されたＤＬ信号を、所定の無線リソースにマッピングして、送受信部１０３に出力する。マッピング部３０３は、本発明に係る技術分野での共通認識に基づいて説明されるマッパー、マッピング回路又はマッピング装置とすることができる。
【０１７０】
受信信号処理部３０４は、ユーザ端末２０から送信されるＵＬ信号（例えば、ＵＬデータ信号、ＵＬ制御信号、ＵＬ参照信号を含む）に対して、受信処理（例えば、デマッピング、復調、復号など）を行う。具体的には、受信信号処理部３０４は、受信信号や、受信処理後の信号を、測定部３０５に出力してもよい。また、受信信号処理部３０４は、制御部３０１から指示される上り制御チャネル構成に基づいて、ＵＣＩの受信処理を行う。
【０１７１】
測定部３０５は、受信した信号に関する測定を実施する。測定部３０５は、本発明に係る技術分野での共通認識に基づいて説明される測定器、測定回路又は測定装置から構成することができる。
【０１７２】
測定部３０５は、例えば、ＵＬ参照信号の受信電力（例えば、ＲＳＲＰ（Reference  Signal  Received  Power））及び／又は受信品質（例えば、ＲＳＲＱ（Reference  Signal  Received  Quality））に基づいて、ＵＬのチャネル品質を測定してもよい。測定結果は、制御部３０１に出力されてもよい。
【０１７３】
＜ユーザ端末＞
図１９は、本実施の形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。
【０１７４】
複数の送受信アンテナ２０１で受信された無線周波数信号は、それぞれアンプ部２０２で増幅される。各送受信部２０３はアンプ部２０２で増幅されたＤＬ信号を受信する。送受信部２０３は、受信信号をベースバンド信号に周波数変換して、ベースバンド信号処理部２０４に出力する。
【０１７５】
ベースバンド信号処理部２０４は、入力されたベースバンド信号に対して、ＦＦＴ処理や、誤り訂正復号、再送制御の受信処理などを行う。ＤＬデータは、アプリケーション部２０５に転送される。アプリケーション部２０５は、物理レイヤやＭＡＣレイヤより上位のレイヤに関する処理などを行う。また、ブロードキャスト情報もアプリケーション部２０５に転送される。
【０１７６】
一方、ＵＬデータについては、アプリケーション部２０５からベースバンド信号処理部２０４に入力される。ベースバンド信号処理部２０４では、再送制御の送信処理（例えば、ＨＡＲＱの送信処理）や、チャネル符号化、レートマッチング、パンクチャ、離散フーリエ変換（ＤＦＴ：Discrete  Fourier  Transform）処理、ＩＦＦＴ処理などが行われて各送受信部２０３に転送される。ＵＣＩについても、チャネル符号化、レートマッチング、パンクチャ、ＤＦＴ処理、ＩＦＦＴ処理の少なくとも一つが行われて各送受信部２０３に転送される。
【０１７７】
送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１７８】
また、送受信部２０３は、ユーザ端末２０に設定されたニューメロロジーのＤＬ信号（ＤＬデータ信号、ＤＬ制御信号、ＤＬ参照信号を含む）を受信し、当該ニューメロロジーのＵＬ信号（ＵＬデータ信号、ＵＬ制御信号、ＵＬ参照信号を含む）を送信する。
【０１７９】
また、送受信部２０３は、上り共有チャネル（例えば、ＰＵＳＣＨ）又は上り制御チャネル（例えば、ショートＰＵＣＣＨ及び／又はロングＰＵＣＣＨ）を用いて、無線基地局１０に対して、ＵＣＩを送信する。
【０１８０】
また、送受信部２０３は、上り制御チャネル（例えば、ショートＰＵＣＣＨ、ロングＰＵＣＣＨ）に関する制御情報（例えば、フォーマット、スロット内のＰＵＣＣＨユニット数、ＰＵＣＣＨユニットのサイズ、ＲＳの多重方法、ＲＳの配置位置、ＲＳの存在有無、ＲＳの密度、ＳＲＳの有無、上り制御チャネル用のリソースの少なくとも一つ）を物理レイヤシグナリング（Ｌ１シグナリング）及び／又は上位レイヤシグナリングにより受信してもよい。
【０１８１】
送受信部２０３は、本発明に係る技術分野での共通認識に基づいて説明されるトランスミッター／レシーバー、送受信回路又は送受信装置とすることができる。また、送受信部２０３は、一体の送受信部として構成されてもよいし、送信部及び受信部から構成されてもよい。
【０１８２】
図２０は、本実施の形態に係るユーザ端末の機能構成の一例を示す図である。なお、図２０においては、本実施の形態における特徴部分の機能ブロックを主に示しており、ユーザ端末２０は、無線通信に必要な他の機能ブロックも有しているものとする。図２０に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１８３】
制御部４０１は、ユーザ端末２０全体の制御を実施する。制御部４０１は、例えば、送信信号生成部４０２によるＵＬ信号の生成や、マッピング部４０３によるＵＬ信号のマッピング、受信信号処理部４０４によるＤＬ信号の受信処理、測定部４０５による測定を制御する。
【０１８４】
また、制御部４０１は、無線基地局１０からの明示的指示又はユーザ端末２０における黙示的決定に基づいて、ユーザ端末２０からのＵＣＩの送信に用いる上り制御チャネルを制御する。
【０１８５】
また、制御部４０１は、上り制御チャネル（例えば、ロングＰＵＣＣＨ及び／又はショートＰＵＣＣＨ）の構成（フォーマット）を制御してもよい。制御部４０１は、無線基地局１０からの制御情報に基づいて、当該上り制御チャネルのフォーマットを制御してもよい。また、制御部４０１は、フォールバックに関する情報に基づいて、ＵＣＩの送信に用いるＰＵＣＣＨフォーマット（上りリンク制御チャネルのフォーマット）を制御してもよい。
【０１８６】
また、制御部４０１は、上位レイヤシグナリング及び／又は下り制御情報に基づいて、ＰＵＣＣＨフォーマットで用いられるＰＵＣＣＨリソースを決定してもよい（第３の態様）。
【０１８７】
具体的には、制御部４０１は、ＲＲＣ（Radio  Resource  Control）コネクションのセットアップ前に、上り制御チャネルを用いてＵＣＩを送信する場合、システム情報（例えば、ＲＭＳＩ）内の所定フィールド値に基づいて、前記ＵＣＩの送信に用いられる前記上り制御チャネル用のリソースを決定してもよい。
【０１８８】
また、制御部４０１は、システム情報内の前記所定フィールド値が示す複数のリソースの中から、下り制御情報内の所定フィールド値に基づいて、前記上り制御チャネル用のリソースを決定してもよい（第１の態様）。
【０１８９】
また、制御部４０１は、システム情報内の前記所定フィールド値が示すインデックスに基づいて、一以上のリソースを含むリソースセットを決定し、前記リソースセットの中から、下り制御情報内の所定フィールド値に基づいて、前記上り制御チャネル用のリソースを決定してもよい（第２、第３の態様）。
【０１９０】
前記リソースセットは、前記インデックスから連続する所定数のインデックスを有するリソースを含んでもよい（第２の態様）。或いは、前記リソースセットは、前記インデックスに関連付けられる所定数のリソースを含んでもよい（第３の態様）。
【０１９１】
また、制御部４０１は、所定のルールに従って選択されたセット（又は、当該セットのテーブル）を参照し、ＲＭＳＩ内の所定フィールド値が示すインデックスに基づいて、ＰＵＣＣＨリソースセットを決定してもよい（第４の態様）。
【０１９２】
制御部４０１は、ランダムアクセス手順を制御してもよい。具体的には、制御部４０１は、メッセージ４に対するＨＡＲＱ−ＡＣＫの送信タイミングを制御してもよい（第６の態様）。
【０１９３】
制御部４０１は、本発明に係る技術分野での共通認識に基づいて説明されるコントローラ、制御回路又は制御装置から構成することができる。
【０１９４】
送信信号生成部４０２は、制御部４０１からの指示に基づいて、ＵＬ信号（ＵＬデータ信号、ＵＬ制御信号、ＵＬ参照信号、ＵＣＩを含む）を生成（例えば、符号化、レートマッチング、パンクチャ、変調など）して、マッピング部４０３に出力する。送信信号生成部４０２は、本発明に係る技術分野での共通認識に基づいて説明される信号生成器、信号生成回路又は信号生成装置とすることができる。
【０１９５】
マッピング部４０３は、制御部４０１からの指示に基づいて、送信信号生成部４０２で生成されたＵＬ信号を無線リソースにマッピングして、送受信部２０３へ出力する。マッピング部４０３は、本発明に係る技術分野での共通認識に基づいて説明されるマッパー、マッピング回路又はマッピング装置とすることができる。
【０１９６】
受信信号処理部４０４は、ＤＬ信号（ＤＬデータ信号、スケジューリング情報、ＤＬ制御信号、ＤＬ参照信号）に対して、受信処理（例えば、デマッピング、復調、復号など）を行う。受信信号処理部４０４は、無線基地局１０から受信した情報を、制御部４０１に出力する。受信信号処理部４０４は、例えば、報知情報、システム情報、ＲＲＣシグナリングなどの上位レイヤシグナリングによる上位レイヤ制御情報、物理レイヤ制御情報（Ｌ１／Ｌ２制御情報）などを、制御部４０１に出力する。
【０１９７】
受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１９８】
測定部４０５は、無線基地局１０からの参照信号（例えば、ＣＳＩ−ＲＳ）に基づいて、チャネル状態を測定し、測定結果を制御部４０１に出力する。なお、チャネル状態の測定は、ＣＣ毎に行われてもよい。
【０１９９】
測定部４０５は、本発明に係る技術分野での共通認識に基づいて説明される信号処理器、信号処理回路又は信号処理装置、並びに、測定器、測定回路又は測定装置から構成することができる。
【０２００】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０２０１】
例えば、本発明の一実施形態における無線基地局、ユーザ端末などは、本発明の無線通信方法の処理を行うコンピュータとして機能してもよい。図２１は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２０２】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０２０３】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０２０４】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０２０５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２０６】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２０７】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０２０８】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２０９】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０２１０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２１１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２１２】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２１３】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２１４】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０２１５】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０２１６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２１７】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２１８】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０２１９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２２０】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２２１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２２２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２２３】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２２４】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２２５】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２２６】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２２７】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２２８】
また、情報、信号などは、上位レイヤから下位レイヤ、及び／又は下位レイヤから上位レイヤへ出力され得る。情報、信号などは、複数のネットワークノードを介して入出力されてもよい。
【０２２９】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２３０】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２３１】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２３２】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２３３】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２３４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２３５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２３６】
本明細書において使用する「システム」及び「ネットワーク」という用語は、互換的に使用され得る。
【０２３７】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、送受信ポイント、フェムトセル、スモールセルなどの用語で呼ばれる場合もある。
【０２３８】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２３９】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２４０】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２４１】
基地局及び／又は移動局は、送信装置、受信装置などと呼ばれてもよい。
【０２４２】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２４３】
同様に、本明細書におけるユーザ端末は、無線基地局で読み替えてもよい。この場合、上述のユーザ端末２０が有する機能を無線基地局１０が有する構成としてもよい。
【０２４４】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２４５】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２４６】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２４７】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２４８】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２４９】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２５０】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２５１】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２５２】
本明細書において、「ＡとＢが異なる」という用語は、「ＡとＢが互いに異なる」ことを意味してもよい。「離れる」、「結合される」などの用語も同様に解釈されてもよい。
【０２５３】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２５４】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019138563.tif 000003
【図２】
2019138563.tif 000004
【図３】
2019138563.tif 000005
【図４】
2019138563.tif 000006
【図５】
2019138563.tif 000007
【図６】
2019138563.tif 000008
【図７】
2019138563.tif 000009
【図８】
2019138563.tif 000010
【図９】
2019138563.tif 000011
【図１０】
2019138563.tif 000012
【図１１】
2019138563.tif 000013
【図１２】
2019138563.tif 000014
【図１３】
2019138563.tif 000015
【図１４】
2019138563.tif 000016
【図１５】
2019138563.tif 000017
【図１６】
2019138563.tif 000018
【図１７】
2019138563.tif 000019
【図１８】
2019138563.tif 000020
【図１９】
2019138563.tif 000021
【図２０】
2019138563.tif 000022
【図２１】
2019138563.tif 000023
【図２２】
2019138563.tif 000024
【国際調査報告】
2019138563.tif 000025
2019138563.tif 000026